(57)【要約】【課題】母屋と垂木などの部材同士を引き寄せ状態にして固定することができ、しかも、それを簡素な構造で低コストにて実現することができ、加えて、引寄せと固定を容易に行える引寄せ固定金物及び引寄せ固定構造を提供する。【解決手段】垂木連結部５に、垂木２の側面部２ａに対して連結面６ａを反母屋側に向けるように傾斜させた斜板部６が備えられ、斜板部６にビス通孔７が設けられ、母屋連結部８を母屋３に連結した状態で、垂木連結部５の斜板部６のビス通孔７にビス１２を斜板部６と直交するように通し、ビス１２を垂木２の側面部２ａに打ち込むことで、斜板部６が垂木２の側面部２ａに沿う方向に変形し、垂木２が母屋３の側に引き寄せられて母屋３に固定されるようになされている。【選択図】      図１
2006283407.tif 000002
【特許請求の範囲】
【請求項１】
第１部材と第２部材とを連結する引寄せ固定金物であって、
一方の側を第１部材に対する連結部とし、もう一方の側を第２部材の側面部に対する連結部とし、第２部材連結部に、第２部材の側面部に対して連結面を反第１部材側に向けるように傾斜させた斜板部が備えられ、該斜板部にビス通孔が設けられ、
第１部材連結部を第１部材に連結した状態で、第２部材連結部の斜板部のビス通孔にビスを斜板部と直交するように通し、該ビスを第２部材の側面部に打ち込むことにより、斜板部が第２部材の側面部に沿う方向に変形し、第２部材が第１部材の側に引き寄せられて第１部材に固定されるようになされていることを特徴とする引寄せ固定金物。
【請求項２】
金属プレートのプレス一体成形品からなり、第２部材連結部の斜板部がプレート部分を切り起こして形成されている請求項１に記載の引寄せ固定金物。
【請求項３】
第１部材が、側方に開口するリップ付き溝形材からなる母屋であり、第２部材が、母屋に対し非直交状態に交差する垂木であり、
金物本体部が、平板部からなり、
該本体平板部の一端側が、平板部を切り起こして形成された斜板部を備える垂木連結部であり、
該本体平板部の他端側が、本体平板部から該平板部と同一の平面方向を向いて側方に突出する第１係合板部と、該第１係合板部の先端部に連接され第１係合板部に交差する方向に屈折して突出する第２係合板部と、各係合板部の上下に母屋の上下のリップ部を嵌入させる切欠きとが備えられた母屋連結部であり、
第１，第２係合板部を母屋のリップ間開口部を通じてリップ間開口部の奥方に突出させると共に、上下のリップを第１，第２係合板部の切欠き内に嵌入させた状態で、金物本体平板部が、垂木連結部の側において、垂木の側面部と正対するようになされていることを特徴とする請求項２に記載の引寄せ固定金物。
【請求項４】
請求項１乃至３のいずれか一に記載の引寄せ固定金物の第１部材連結部が母屋に連結されると共に、斜板部を備えた第２部材連結部が、斜板部の通孔を通じて打ち込まれたビスにより垂木の側面部に連結されていることを特徴とする垂木と母屋の引寄せ固定構造。
【発明の詳細な説明】
【技術分野】
【０００１】
本発明は、引寄せ固定金物、及び、垂木と母屋の引寄せ固定構造に関する。
【背景技術】
【０００２】
例えば、垂木と母屋とは、それらの結合状態をしっかりとしたものにするため、垂木を母屋側に引き寄せ状態にして固定しておく必要があるが、従来の引寄せ固定金物は、構造が複雑で高価なものが多く、固定に要するコストが高くつき、また、固定の作業に手間を要するという問題がある。
【発明の開示】
【発明が解決しようとする課題】
【０００３】
本発明は、上記のような問題点に鑑み、部材同士を引き寄せ状態にして固定することができ、しかも、それを簡素な構造で低コストにて実現することができ、加えて、引寄せと固定を容易に行うことができる、引寄せ固定金物、及び、垂木と母屋の引寄せ固定構造を提供することを課題とする。
【課題を解決するための手段】
【０００４】
上記の課題は、第１部材と第２部材とを連結する引寄せ固定金物であって、
一方の側を第１部材に対する連結部とし、もう一方の側を第２部材の側面部に対する連結部とし、第２部材連結部に、第２部材の側面部に対して連結面を反第１部材側に向けるように傾斜させた斜板部が備えられ、該斜板部にビス通孔が設けられ、
第１部材連結部を第１部材に連結した状態で、第２部材連結部の斜板部のビス通孔にビスを斜板部と直交するように通し、該ビスを第２部材の側面部に打ち込むことにより、斜板部が第２部材の側面部に沿う方向に変形し、第２部材が第１部材の側に引き寄せられて第１部材に固定されるようになされていることを特徴とする引寄せ固定金物によって解決される（第１発明）。
【０００５】
この引寄せ固定金物では、第２部材連結部の斜板部のビス通孔にビスを通して第２部材の側面部に打ち込めば、斜板部が第２部材の側面部に沿う方向に変形し、それによって、第２部材を第１部材の側に引き寄せるようにして第１部材に固定することができる。
【０００６】
しかも、第２部材連結部に、ビス通孔付きの斜板部を設けただけの極めて簡素な引寄せ機構でそれを実現するものであり、金物のコストを低く抑えることができる。
【０００７】
加えて、引寄せと固定の操作は、第１部材に連結した金物の斜板部のビス孔を通じて第２部材の側面部にビスを打つだけでよいから、第２部材の引寄せと固定を極めて容易に行うことができる。
【０００８】
第１発明の引寄せ固定金物が、金属プレートのプレス一体成形品からなり、第２部材連結部の斜板部がプレート部分を切り起こして形成されている場合（第２発明）は、斜板部を含む金物全体をプレス成形によって安価に製作することができ、金物コストをより一層低く抑えることができる。
【０００９】
また、第２発明の引寄せ固定金物において、第１部材が、側方に開口するリップ付き溝形材からなる母屋であり、第２部材が、母屋に対し非直交状態に交差する垂木であり、
金物本体部が、平板部からなり、
該本体平板部の一端側が、平板部を切り起こして形成された斜板部を備える垂木連結部であり、
該本体平板部の他端側が、本体平板部から該平板部と同一の平面方向を向いて側方に突出する第１係合板部と、該第１係合板部の先端部に連接され第１係合板部に交差する方向に突出する第２係合板部と、各係合板部の上下に母屋の上下のリップ部を嵌入させる切欠きとが備えられた母屋連結部であり、
第１，第２係合板部を母屋のリップ間開口部を通じてリップ間開口部の奥方に突出させると共に、上下のリップを第１，第２係合板部の切欠き内に嵌入させた状態で、金物本体平板部が、垂木連結部の側において、垂木の側面部と正対するようになされているとよい（第３発明）。
【００１０】
この金物では、母屋が側方開口のリップ付き溝形材からなることを利用して、垂木と母屋とが非直交状態に交差する部分において、引寄せ固定金物の母屋連結部の第１，第２係合板部を母屋の上下のリップに力学的に安定良く係合保持させることができると共に、垂木連結部側の斜板部を通じたビスの打込みによる引寄せ作用によって、母屋連結部の第１，第２係合板部を母屋にしっかりとした連結固定状態にすることができ、それをまた、構造簡素で安価な金物によって実現することができる。
【００１１】
また、本発明は、第１乃至第３発明のいずれか一の引寄せ固定金物の第１部材連結部が母屋に連結されると共に、斜板部を備えた第２部材連結部が、斜板部の通孔を通じて打ち込まれたビスにより垂木の側面部に連結されていることを特徴とする垂木と母屋の引寄せ固定構造（第４発明）も内容として含み、このような構造により、垂木を母屋側に引き寄せ状態にして固定することができ、しかも、それを簡素な構造でかつ低コストにて実現することができ、引寄せと固定も容易に行うことができる。
【発明の効果】
【００１２】
本発明は、以上のとおりのものであるから、垂木と母屋などの部材同士を引き寄せ状態にして固定することができ、しかも、それを簡素な構造で低コストにて実現することができ、加えて、引寄せと固定を容易に行うことができる。
【発明を実施するための最良の形態】
【００１３】
次に、本発明の実施最良形態を図面に基づいて説明する。
【００１４】
図１に示す実施形態の引寄せ固定金物１は、野地板や垂木等を一体化した屋根パネルの垂木２を母屋３に引寄せ状態にして連結固定するのに用いられるもので、具体的には、寄せ棟屋根や隅棟屋根などにおいて、図１（ロ）に示すように、側方に開口する鋼製のリップ付き溝形材からなる第１部材としての母屋３と、母屋３に対し非直交状態に交差する第２部材としての木製の垂木２とをそれらの交差部において連結するのに用いられるものである。
【００１５】
該引寄せ固定金物１は、図１（イ）に示すように、金属プレートのプレス一体成形品からなっていて、金物本体部４が、帯状の平板部で構成され、該本体平板部４の一端側５が、平板部を切り起こして形成された斜板部６を備える第２部材連結部としての垂木連結部となっていて、斜板部６は、図１（ロ）に示すように、垂木２の側面部２ａに対して連結面６ａを反母屋３側に向けて傾斜するように備えられ、該斜板部６にはビス通孔７が設けられている。
【００１６】
また、金物１の本体平板部４の他端側８は、図１（イ）に示すように、本体平板部４から該平板部４と同一の平面方向を向いて側方に突出する第１係合板部９と、該第１係合板部９の先端部に連接され第１係合板部９に交差する方向に屈折して突出する第２係合板部１０と、各係合板部９，１０の上下に母屋３の上下のリップ３ａ，３ａを嵌入させる切欠き１１…とが備えられた第１連結部としての母屋連結部となっている。
【００１７】
垂木２と母屋３の連結は、上記の引寄せ固定金物１を用いて次のようにして行うことができる。即ち、図１（ロ）に示すように、金物１の母屋連結部８の側に備えられている第１，第２の係合板部９，１０を、金物１を回すようにしながら、母屋３のリップ間開口部を通じてリップ間開口部の奥方に突出させ、上下のリップ３ａ，３ａを第１，第２係合板部９，１０の切欠き１１…内に嵌入させた状態にして連結する。すると、金物本体平板部４が、垂木連結部５の側において、垂木２の側面部２ａと正対し、斜板部６が、垂木２の側面部２ａに対して連結面６ａを反母屋３側に向けて傾斜した状態になる。
【００１８】
その状態で、図２（イ）（ロ）に示すように、垂木連結部５の斜板部６のビス通孔７にビス１２を斜板部６と直交するように通し、該ビス１２を垂木２の側面部２ａに打ち込む。すると、斜板部６が、図２（ハ）に示すように、垂木２の側面部２ａに沿う方向に変形し、それにより、垂木２は白抜き矢印で示すように母屋３側に引き寄せられ、金物１の垂木連結部５の側はビス１２で固定され、また、母屋連結部８の側は、母屋３のリップ３ａ，３ａに固く係合して、垂木２と母屋３とがしっかり連結される。
【００１９】
このように、上記の引寄せ固定金物１によれば、垂木連結部５の斜板部６のビス通孔７にビス１２を通して垂木２の側面部２ａに打ち込めば、斜板部６が垂木２の側面部に沿う方向に変形し、それによって、垂木２を母屋３の側に引き寄せるようにして母屋３に固定することができる。
【００２０】
しかも、垂木連結部５に、ビス通孔７付きの斜板部６を形成しただけの極めて簡素な引寄せ機構でそれを実現するものであり、また、金物１が金属プレートのプレス一体成形品からなることも相俟って、金物１のコストを低く抑えることができる。
【００２１】
加えて、引寄せと固定の操作も、母屋３に連結した金物１の斜板部６のビス通孔７を通じて垂木２の側面部にビス１２を打つだけでよいから、垂木２の引寄せと固定を極めて容易に行うことができる。特に、垂木２が予め野地板の下面側に取り付けられた屋根パネルを用いる場合には、引寄せのため、小屋裏側からビス１２を斜め上方に向けて打つことができ、ビス打ち作業を容易に行うことができる。
【００２２】
また、上記の金物１では、母屋３が側方開口のリップ付き溝形材からなることを利用して、垂木２と母屋３とが非直交状態に交差する部分において、引寄せ固定金物１の母屋連結部８の第１，第２係合板部９，１０を母屋３の上下のリップ３ａ，３ａに力学的に安定良く係合保持させることができると共に、垂木連結部５側の斜板部６を通じたビスの打込みによる引寄せ作用によって、母屋連結部８の第１，第２係合板部９，１０を母屋３にしっかりとした連結固定状態にすることができ、それをまた、構造簡素で安価な金物１によって実現することができる。
【００２３】
以上に、本発明の実施形態を示したが、本発明はこれに限られるものではなく、発明思想を逸脱しない範囲で各種の変更が可能である。例えば、上記の実施形態では、垂木２が木からなっている場合を示したが、木樹脂等の木質材であってもよいし、金属、その他の材料からなっていてもよい。また、上記の実施形態では、金物１が金属プレートのプレス一体成形品からなる場合を示したが、それに限られない。また、金物１の母屋連結部８については、上記した以外の構造が採用されてもよい。
【００２４】
また、上記の実施形態では、引寄せ固定金物１が、非直交状態に交差する垂木２と母屋３とをそれらの交差部において連結するための金物として構成されているが、直交状態に交差する垂木と母屋とをそれらの交差部において連結する金物に構成されていてもよい。更に、本発明の金物は、母屋と垂木の連結に限らず、各種部材同士の引寄せ固定に広く用いることができるものである。
【図面の簡単な説明】
【００２５】
【図１】図（イ）は実施形態の引寄せ固定金物を示す斜視図、図（ロ）は同金物と、垂木、母屋との配置関係を示す斜視図である。
【図２】図（イ）〜図（ハ）は、ビスの打込み過程を順次に示す断面側面図である。
【符号の説明】
【００２６】
１…引寄せ固定金物
２…垂木（第２部材）
２ａ…側面部
３…母屋（第１部材）
３ａ…リップ
４…金物本体平板部
５…垂木連結部（第２部材連結部）
６…斜板部
６ａ…連結面
７…ビス通孔
８…母屋連結部（第１部材連結部）
９…第１係合板部
１０…第２係合板部
１１…切欠き
１２…ビス
【図１】
2006283407.tif 000003
【図２】
2006283407.tif 000004